(57)【要約】【課題】腐食性成分が実際にリークが開始する前に、また過度に早期となることなく、適性時期に活性炭エレメントを交換することができるガス浄化装置を提供する。【解決手段】腐食性成分含有被処理ガスがダクト１から吸着ユニット２に導入され、浄化ガスがダクト３を通って流出する。吸着ユニット２は、円筒形のハウジング４と、該ハウジング４の上流側の端部を横断するように設けられた不織布等よりなるプレフィルタ５と、該プレフィルタ５と活性炭エレメント７との間に配置されたファン６と、該ファン６からの送気を透過させるように設けられた該活性炭エレメント７と、ハウジング４の下流側の端部を横断するように設けられたアフターフィルタ８とを有する。差圧が予め設定した所定値以上となるか、又は流量が所定流量以下となったときに、活性炭エレメント７を交換する。【選択図】図１
2014104447.tif 000002
【特許請求の範囲】
【請求項１】
腐食性成分を吸着する活性炭エレメントと、
該活性炭エレメントに被処理ガスを流通させる手段と
を有するガス浄化装置において、
該活性炭エレメントのガス通過差圧及びガス通過量の少なくとも一方を検出する検出手段と、
該検出手段の検出値に基づいて前記活性炭エレメントの交換時期を判定する判定手段と
を備えたことを特徴とするガス浄化装置。
【請求項２】
請求項１において、前記判定手段は、ガス通過差圧が所定値以上となるか、又はガス通過量が所定量以下となった場合に交換時期であると判定することを特徴とするガス浄化装置。
【請求項３】
請求項１又は２において、前記活性炭はヨウ化カリウム添着活性炭であることを特徴とするガス浄化装置。
【発明の詳細な説明】
【技術分野】
【０００１】
本発明は、ガス浄化装置に係り、特に腐食性成分を吸着する活性炭エレメントを備えたガス浄化装置に関する。
【背景技術】
【０００２】
硫黄酸化物や硫化水素等を空気中から除去するために、ヨウ化カリウムを添着した活性炭を用いることが知られている（特開２００３−１０６８８）。また、硫化水素等の悪臭成分を除去するために、塩化銅や金属酸化物を担持させた活性炭を用いることが特開平９−２６２２７３に記載されている。
【０００３】
特開２００４−８９９６３には、臭気成分含有ガスを、相対湿度８５％以上に調湿した後、活性炭含有ハニカム状吸着剤と接触させて臭気成分を吸着除去する方法が記載されている。
【０００４】
特開２０００−１５７６２０には、硫化水素などを含有した排泄物臭気成分含有空気をファンによって活性炭充填床に通過させて脱臭する脱臭装置が記載されている。
【先行技術文献】
【特許文献】
【０００５】
【特許文献１】特開２００３−１０６８８
【特許文献２】特開平９−２６２２７３
【特許文献３】特開２００４−８９９６３
【特許文献４】特開２０００−１５７６２０
【発明の概要】
【発明が解決しようとする課題】
【０００６】
腐食性成分含有被処理ガスを活性炭の成形体や充填床などの活性炭エレメントに通過させ続けると、次第に活性炭の吸着残存容量が減少し、遂には活性炭が破過（ブレーク）して腐食性成分がリークするようになる。
【０００７】
従来、この腐食性成分のリークを検出するために、ガス分析を行うか、又は金属片よりなるテストピースを吸着装置の出口側に配置し、このテストピースの腐食状況からリークの有無を判断するようにしているが、判定に時間がかかると共に、実際にリークが発生した後でなければ検出することができないという短所があった。
【０００８】
本発明は、腐食性成分が実際にリークが開始する前に、また過度に早期となることなく、適性時期に活性炭エレメントを交換することができるガス浄化装置を提供することを目的とする。
【課題を解決するための手段】
【０００９】
本発明のガス浄化装置は、腐食性成分を吸着する活性炭エレメントと、該活性炭エレメントに被処理ガスを流通させる手段とを有するガス浄化装置において、該活性炭エレメントのガス通過差圧及びガス通過量の少なくとも一方を検出する検出手段と、該検出手段の検出値に基づいて前記活性炭エレメントの交換時期を判定する判定手段とを備えたことを特徴とする。
【００１０】
前記判定手段は、ガス通過差圧が所定値以上となるか、又はガス通過量が所定量以下となった場合に交換時期であると判定するように構成されたものが好ましい。
【００１１】
活性炭としては、ヨウ化カリウム添着活性炭が好ましい。
【発明の効果】
【００１２】
本発明のガス浄化装置に腐食性成分含有被処理ガスを通過させると、腐食性成分が活性炭エレメントに吸着され、浄化されたガスが取り出される。このガス浄化装置へのガス供給を継続すると、活性炭の圧密化等によって活性炭エレメントの圧損が増加し、風量が減少する。本発明では、活性炭エレメントのガス通過差圧及びガス通過量の少なくとも一方を検出し、これに基づいて活性炭エレメントの交換時期の判定を行う。例えば、通過差圧が所定値以上となるか、又は通過量が所定量以下となった場合に活性炭エレメントの交換時期と判定することにより、活性炭エレメントを適切な時期に交換することが可能となる。
【図面の簡単な説明】
【００１３】
【図１】実施の形態に係るガス浄化装置の長手方向の断面図である。
【図２】吸着ユニットの断面図であり、（ａ）図は活性炭エレメントの軸心方向の断面図、（ｂ）図は（ａ）図のＢ−Ｂ線断面図である。
【発明を実施するための形態】
【００１４】
以下、図面を参照して実施の形態について説明する。図１の通り、腐食性成分含有被処理ガスがダクト１から吸着ユニット２に導入され、浄化ガスがダクト３を通って流出する。
【００１５】
吸着ユニット２は、円筒形のハウジング４と、該ハウジング４の上流側の端部を横断するように設けられた不織布等よりなるプレフィルタ５と、該プレフィルタ５と活性炭エレメント７との間に配置されたファン６と、該ファン６からの送気を透過させるように設けられた該活性炭エレメント７と、ハウジング４の下流側の端部を横断するように設けられたＨＥＰＡフィルタなどよりなるアフターフィルタ８とを有する。
【００１６】
活性炭エレメント７は、図２に示すように、それぞれ多孔板、メッシュ等よりなる通気性の内筒１０及び外筒１１と、該内筒１０と外筒１１との間のスペースの一端側を閉鎖するリング状のフロントエンドプレート１２と、活性炭エレメント７の他端側を全面的に閉鎖するリヤエンドプレート１３と、内筒１０と外筒１１との間のスペースに充填された粒状活性炭１４とを有する。
【００１７】
この実施の形態では、活性炭にヨウ化カリウムが添着されている。ヨウ化カリウムの添着量は０．０１〜１０ｗｔ％であることが好ましい。
【００１８】
前記ハウジング４の内面には中心孔１５ａを有したリング状の取付座１５が設けられている。活性炭エレメント７のフロントエンドプレート１２が該取付座１５にボルト等によって脱着自在に取り付けられている。中心孔１５ａと内筒１０とは、略等径であり、同軸状に配置されている。外筒１１の直径はハウジング４よりも小径である。外筒１０はハウジング４と同軸状に設置されており、外筒１０の外周面とハウジング４の内周面との間が通気空間となっている。活性炭エレメント７のガス通過線速度は０．２ｍ／ｓ以上、特に０．３〜０．３５ｍ／ｓ程度が好ましい。
【００１９】
ダクト１，３にはそれぞれ圧力センサ２０，２１が設けられ、それらの検出信号が判定装置２２に入力される。ダクト３には熱線流速計などの流量センサ２３が設けられており、この流量センサの検出信号が判定装置２２に入力される。
【００２０】
このように構成されたガス浄化装置において、ファン６を駆動すると、腐食性成分含有被処理ガスがダクト１からプレフィルタ５を透過して吸着ユニット２内に流入し、活性炭エレメント７の内筒１０、活性炭１４の充填部及び外筒１１を透過し、浄化ガスがアフターフィルタ８を透過し、ダクト３へ流出する。ファン６を定速で回転させ、運転を継続する。そして、圧力センサ２０，２１の差（差圧）と、流量センサ２３の検出流量とを判定装置２２で経時的に判定する。
【００２１】
運転を継続すると、差圧が徐々に上昇し、通過流量が徐々に低下する。そこで、差圧が予め設定した所定値以上となるか、又は流量が所定流量以下となったときには、活性炭エレメント７を取付座１５から取り外し、新品（又は活性炭再生済み）の活性炭エレメント７と交換する。
【００２２】
活性炭エレメント７から腐食性成分のリークが開始するときの差圧又は流量を予め求めておき、これに安全率を勘案した値を上記の所定値又は所定流量として設定するのが好ましい。
【００２３】
腐食性成分のリークが検出されたときには、活性炭の破過を通知する通知手段を作動させる。通知手段は警告ランプの点灯手段、警告音の発生手段、警告メールの送信手段などが挙げられるが、これに限定されない。
【００２４】
これにより、腐食性成分がリークする前に、また過度に早期となることなく適切な時期に活性炭エレメント７を交換することができる。
【００２５】
なお、上記の差圧や流量センサの計測は連続的に行ってもよく、間欠的（例えば数時間〜数箇月に１回の頻度）に行ってもよい。
【００２６】
ガスは一過式に流通させてもよく、循環流通させてもよい。
【実施例】
【００２７】
本発明の効果を確認するための実験を行った。
【００２８】
内径２００ｍｍ、外径３５０ｍｍ、長さ５００ｍｍであり、粒状活性炭充填量１５ｋｇの図２に示す構造の活性炭エレメントを図１のハウジング内に設置し、ガス浄化装置を構成した。粒状活性炭は粒径２．４〜４．７ｍｍのものが９０ｗｔ％の粒度のものである。活性炭にはヨウ化カリウムを０．５ｗｔ％添着した。このガス浄化装置に硫化水素濃度１００ｐｐｂ程度に調整した空気を通風し、差圧及び風量を計測した。また、活性炭の破過の有無については、ハウジングの出口側ダクトで測定した硫化水素濃度の変化により判定した。結果を表１に示す。
【００２９】
【表１】
2014104447.tif 000003
【００３０】
表１より、活性炭破過と風量減少、差圧上昇に相関があることが確認された。また、表１より、風量が１１ｍ３／ｍｉｎを下回った時点、風量が初期量の７５％を下回った時点、差圧が１９０Ｐａを上回った時点、または差圧が初期値の１４０％を上回った時点のいずれかの時点で活性炭が破過したと判定できることが認められた。従って、破過する前の例えば１５ヶ月経過時の値を設定値とし、この設定値に達したならば活性炭エレメントを交換することにより、活性炭エレメントが適切時期に交換される。
【符号の説明】
【００３１】
１，３  ダクト
２  吸着ユニット
４  ハウジング
５  プレフィルタ
６  ファン
７  活性炭エレメント
８  アフターフィルタ
１４  活性炭
２０，２１  圧力センサ
２２  判定装置
２３  流量センサ
【図１】
2014104447.tif 000004
【図２】
2014104447.tif 000005